【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
被写体に照射された放射線を検出する放射線検出素子およびバッテリーを収納する筐体を備え、内部および外部の空気を流通させる通気孔が前記筐体に設けられている放射線画像撮影装置と、
前記放射線画像撮影装置が着脱され、前記バッテリーを充電する充電装置と、
を含む放射線画像撮影システムであって、
前記放射線画像撮影装置は、
前記筐体の内部気圧を測定する気圧測定部と、
圧力の操作によって前記筐体の内部気圧が変化した後に、当該圧力の操作の終了による前記内部気圧の変化の態様に基づいて、前記放射線画像撮影装置の防水性能を検査する防水性能検査部と、
を備え、
前記放射線画像撮影装置および前記充電装置の少なくとも一方には、前記通気孔を介した前記空気の流通量を減少させる流通量調節部が備えられている、
放射線画像撮影システム。
【請求項２】
前記防水性能検査部は、前記筐体の内部気圧が操作された後、前記気圧測定部によって測定された前記内部気圧の、大気圧に戻ろうとする変化の仕方に基づいて、前記放射線画像撮影装置の防水性能を検査する、
請求項１に記載の放射線画像撮影システム。
【請求項３】
前記流通量調節部は、前記通気孔の開度を操作する開度操作部材を含む、
請求項１または２に記載の放射線画像撮影システム。
【請求項４】
前記流通量調節部は、前記開度操作部材の位置を制御する位置制御部を含む、
請求項３に記載の放射線画像撮影システム。
【請求項５】
前記位置制御部は、前記筐体が前記充電装置に装着された場合に、前記通気孔の開度を下げるように前記開度操作部材の位置を制御する、
請求項４に記載の放射線画像撮影システム。
【請求項６】
前記位置制御部は、前記防水性能検査部によって前記防水性能を検査した後に、前記通気孔の開度を上げるように前記開度操作部材の位置を制御する、
請求項４または５に記載の放射線画像撮影システム。
【請求項７】
前記開度操作部材は、前記放射線画像撮影装置の前記筐体に設けられている、
請求項３から６のいずれかに記載の放射線画像撮影システム。
【請求項８】
前記放射線画像撮影装置は、前記筐体の前記内部気圧を操作する気圧操作部を備える、
請求項１から７のいずれかに記載の放射線画像撮影システム。
【請求項９】
前記気圧操作部は、前記筐体の内部の空気を加熱する熱源を含む、
請求項８に記載の放射線画像撮影システム。
【請求項１０】
前記熱源は、前記バッテリーの充電に伴って電流が印加される電子部品である、
請求項９に記載の放射線画像撮影システム。
【請求項１１】
前記充電装置は、前記開度操作部材と、前記放射線画像撮影装置の前記筐体を保持するホルダーと、前記筐体が前記ホルダーに保持されている状態において前記バッテリーに充電電力を供給する電力供給部と、を備え、
前記開度操作部材は、前記筐体が前記ホルダーに保持されている状態において、前記通気孔の開度を下げるように構成されている、
請求項３から７のいずれかに記載の放射線画像撮影システム。
【請求項１２】
前記気圧操作部は、前記筐体の外部から荷重が付与されることで前記筐体の一部が弾性変形する加重付与部を含む、
請求項８または９に記載の放射線画像撮影システム。
【請求項１３】
前記筐体に複数の前記通気孔が設けられ、
前記開度操作部材は、１以上の前記通気孔の開度を操作可能に構成されている、
請求項３から７、または１１のいずれかに記載の放射線画像撮影システム。
【請求項１４】
被写体に照射された放射線を検出する放射線検出素子およびバッテリーを収納する筐体を備え、内部および外部の空気を流通させる通気孔が前記筐体に設けられている放射線画像撮影装置であって、
前記筐体の内部気圧を測定する気圧測定部と、
圧力の操作によって前記筐体の内部気圧が変化した後に、当該圧力の操作の終了による前記内部気圧の変化の態様に基づいて、前記放射線画像撮影装置の防水性能を検査する防水性能検査部と、
前記通気孔を介した前記空気の流通量を減少させる流通量調節部と、を備える、
放射線画像撮影装置。
【請求項１５】
被写体に照射された放射線を検出する放射線検出素子およびバッテリーを収納する筐体を備え、内部および外部の空気を流通させる通気孔が前記筐体に設けられている放射線画像撮影装置の前記バッテリーを充電する充電装置であって、
前記放射線画像撮影装置の前記筐体を保持するホルダーと、
前記筐体が保持されている状態において、前記通気孔を介した前記空気の流通量を減少させる流通量調節部と、を備える、
充電装置。
【請求項１６】
被写体に照射された放射線を検出する放射線検出素子およびバッテリーを収納する筐体を備え、内部および外部の空気を流通させる通気孔が前記筐体に設けられている放射線画像撮影装置における防水性能を検査する防水性能検査方法であって、
前記通気孔を介した前記空気の流通量を流通量調節部によって減少させた状態として前記筐体の内部気圧を操作し、
操作後の前記内部気圧を測定し、
測定された内部気圧の変化の態様に基づいて、前記筐体の防水性能を検査する、
防水性能検査方法。
【手続補正２】
【補正対象書類名】明細書
【補正対象項目名】００１１
【補正方法】変更
【補正の内容】
【００１１】
本発明に係る放射線画像撮影システムは、
被写体に照射された放射線を検出する放射線検出素子およびバッテリーを収納する筐体を備え、内部および外部の空気を流通させる通気孔が前記筐体に設けられている放射線画像撮影装置と、
前記放射線画像撮影装置が着脱され、前記バッテリーを充電する充電装置と、
を含む放射線画像撮影システムであって、
前記放射線画像撮影装置は、
前記筐体の内部気圧を測定する気圧測定部と、
圧力の操作によって前記筐体の内部気圧が変化した後に、当該圧力の操作の終了による前記内部気圧の変化の態様に基づいて、前記放射線画像撮影装置の防水性能を検査する防水性能検査部と、
を備え、
前記放射線画像撮影装置および前記充電装置の少なくとも一方には、前記通気孔を介した前記空気の流通量を減少させる流通量調節部が備えられている。
【手続補正３】
【補正対象書類名】明細書
【補正対象項目名】００１２
【補正方法】変更
【補正の内容】
【００１２】
本発明に係る放射線画像撮影装置は、
被写体に照射された放射線を検出する放射線検出素子およびバッテリーを収納する筐体を備え、内部および外部の空気を流通させる通気孔が前記筐体に設けられている放射線画像撮影装置であって、
前記筐体の内部気圧を測定する気圧測定部と、
圧力の操作によって前記筐体の内部気圧が変化した後に、当該圧力の操作の終了による前記内部気圧の変化の態様に基づいて、前記放射線画像撮影装置の防水性能を検査する防水性能検査部と、
前記通気孔を介した前記空気の流通量を減少させる流通量調節部と、を備える。
【手続補正４】
【補正対象書類名】明細書
【補正対象項目名】００１４
【補正方法】変更
【補正の内容】
【００１４】
本発明に係る防水性能検査方法は、
被写体に照射された放射線を検出する放射線検出素子およびバッテリーを収納する筐体を備え、内部および外部の空気を流通させる通気孔が前記筐体に設けられている放射線画像撮影装置における防水性能を検査する防水性能検査方法であって、
前記通気孔を介した前記空気の流通量を流通量調節部によって減少させた状態として前記筐体の内部気圧を操作し、
操作後の前記内部気圧を測定し、
測定された内部気圧の変化の態様に基づいて、前記筐体の防水性能を検査する。